(57)【要約】蓋のある容器であって、側壁と、底と、蓋を保持する手段を有する開口を有する頂端とを有する容器本体、並びに、概容器の該側壁と同一面にある外方の面を有する、開口の周囲の直立する縁を含む上記容器。該直立する縁は少なくとも１の凹みが備えられ、好ましくは、該開口から下方へと該縁の外方の面へ、該直立する縁の幅にわたって傾斜する。【選択図】図１
2009512598.tif 000002
【特許請求の範囲】
【請求項１】
蓋のある容器であって、側壁と、底と、蓋を保持するための手段を有する開口を有する頂端とを有する容器本体、並びに、該容器の該側壁と同一面にある外方の面を有する、開口の周囲の直立する縁を含み、該直立する縁が少なくとも１の凹みを備えられていることを特徴とする上記容器。
【請求項２】
該凹みが、該開口から該縁の外方へと下方に、該直立する縁の幅にわたって傾斜することを特徴とする、請求項１に記載の容器。
【請求項３】
該開口が襟により囲まれること、及び、該襟の頂と該凹みの外方の点との間の線が垂直線と約４５度以下の角度を作ることを特徴とする、請求項２に記載の容器。
【請求項４】
該襟がねじ山を備えられることを特徴とする、請求項３に記載の容器。
【請求項５】
ハンドルが該直立する縁に枢動可能に取り付けられることを特徴とする、請求項１〜４のいずれか１項に記載の容器。
【請求項６】
該ハンドルが、直立する使用位置及び休止位置、ここで該休止位置において該ハンドルは該直立する縁の中の対応する凹み中に埋め込まれる、の間で枢動可能であることを特徴とする、請求項５に記載の容器。
【請求項７】
該ハンドルが円形の突起を該ハンドルの外方の端に有すること、かつ、該ハンドルの該外方の端が該直立する縁の中の溝中に埋め込まれ、開口を備えられた、該溝の該側壁の１つが、該ハンドルの外方の端の該円形の突起を支えることを特徴とする、請求項５又は６のいずれか１項に記載の容器。
【請求項８】
該ハンドルの外方の端の該円形の突起が、その長手方向軸と所定の角度で外側に広がること、及び、該円形の突起を支える、該溝の該側壁中の該開口の縁が実質的に同じ角度で面取りされることを特徴とする、請求項７に記載の容器。
【請求項９】
該直立する縁が、該開口を含む主要容器本体に取り付けられた、別個に形成されたシュラウドの一部であることを特徴とする、前記請求項１〜８のいずれか１項に記載の容器。
【請求項１０】
該シュラウドが薄壁の外方の縁、及び、直立するフランジ付きの内側の縁により規定される内側の開口を有すること、並びに該主要容器本体中の該容器開口が、該シュラウドの該フランジ付きの内側の縁を受けるために嵌め合わされる広がる縁により規定され、該シュラウドの該薄壁の外方の縁が該主要容器本体の該外方の壁上の隆起により支持されることを特徴とする、請求項９に記載の容器。
【請求項１１】
該容器が、或る間隔にわたって、該直立する縁を超えて突き出る蓋を備えられること、及び、積み重ねられたときに、該容器の底が同様の容器の該突き出る蓋の上に嵌まる凹みを備えられることを特徴とする、前記請求項１〜１０のいずれか１項に記載の容器。
【請求項１２】
該容器が塗料容器であることを特徴とする、前記請求項１〜１１のいずれか１項に記載の容器。
【発明の詳細な説明】
【技術分野】
【０００１】
本発明は、液状物質、特に塗料、ワニス又はラッカーのために適当な、蓋のある容器に関する。
【背景技術】
【０００２】
蓋のある塗料容器は例えば、国際公開第９０／１１２２８号パンフレット及び国際公開第０３／０４７９８２号パンフレットから知られる。それらが用いられる場合、該塗料は一般に、ペイントローラー又はブラシが容易に到達できるトレー又は容器中に流し込まれる。該塗料を注ぐことは、ペイントの損失を引き起こし得る。これは特に、専門的でない使用者又はより用意周到でない使用者にとって厄介である。該塗料を注ぐために、該容器が傾けられる。十分な量の塗料が注がれた後、該塗料容器はその直立の位置に傾きを戻され、そして、所定の傾斜角度で、該塗料流出は中断しそして停止するだろう。その特定の瞬間に、塗料の大なり小なりのしずくが、該塗料容器の外側に漏れて行く前に、注ぎ口から垂れ下がったままである。注ぎ口及び同様の設備が、損失のリスクを克服する為に提案されてきた。しかしながら、貯蔵、輸送及び商業的な展示の理由のために、該容器は容易に積み重ね可能でなければならず、そして好ましくは、実質的に平らな上方面が備えられるべきである。
【発明の開示】
【発明が解決しようとする課題】
【０００３】
これらの構造的な考慮すべき事項をかんがみて、上記損失のリスクを最小限にするための積み重ね可能な塗料容器を提供することが、本発明の目的である。
【課題を解決するための手段】
【０００４】
本発明の目的は、蓋のある容器であって、側壁と、底と、蓋を保持するための手段を有する開口を有する上端とを有する容器本体、並びに、該容器の該側壁と同一面にある外方の面を有する、該開口の周囲の直立する縁を含み、該直立する縁が少なくとも１の凹みを備えられていることを特徴とする上記容器により達成される。該直立する縁は、たい積又は積み重ねのための安定な基礎を提供し、該凹みが、塗料の流出が該縁を汚すのを防ぎ、そして、塗料の流出が中断されたときに、該塗料が該容器の外側に滴り戻ることを防ぐ。
【発明を実施するための最良の形態】
【０００５】
該塗料流出を効果的に回避するために、該凹みは例えば、該開口から下方に該縁の外方の面へと、該直立する縁の幅にわたって傾斜しうる。該開口はさらに、襟により囲まれて良く、そして、該襟の頂と該凹みの外方の点との間の線が、垂直線と約４５度以下の角度を作る。注ぎ後に、該容器が直立位置に傾きを戻されたときに、該塗料流出は約４５度の傾斜角度で中断することが分かっている。もし、該襟の頂と該凹みの該外方の点の間の線が垂直線と約４５度以下の角度を作るならば、該中断された塗料流出は該凹みへ滴り戻らないだろう。
【０００６】
蓋を保持するための手段は例えば、該襟の外側又は内側に備えられたねじ山であってよく、相応するようにねじ山がつけられた蓋を受ける。留め金接合又はその同様物のような、蓋を保持する他の手段も、もし望まれるならば、代替手段として用いられうる。
【０００７】
該直立する縁は枢動可能にハンドルを取り付けるためにも用いられうる。その場合、該ハンドルは例えば、直立する使用位置と休止位置（該休止位置において該ハンドルが該直立する縁の中の対応する凹み中に埋め込まれる）の間で枢動可能であるように構成されうる。このようにして、該ハンドルは大量の容器を積み重ねることを妨げない。任意的に、該ハンドルがその休止位置に入ったときに、該ハンドルが該直立する縁中の該凹みへ下がるだけであり、かつ他の側には下がらないように止めを備えられうる。
【０００８】
該ハンドルを取り付けるために、該ハンドルは例えば、そのＵ形の両方の外方の端に円形の突起を有してよく、該外方の端は、該直立する縁の中の溝に埋め込まれて、該溝の該側壁の１つは、該ハンドルの外方の端の該円形の突起を支える、対応する開口を備えられる。該溝と該ハンドルは、該ハンドルの枢動を妨げないように、該溝中に該ハンドルが自身を固定するだろうように寸法取りされうる。
【０００９】
該ハンドルと該シュラウドの溝との間の接続を更に保証するために、該ハンドルの外方の縁の該円形の突起は、該突起がその長手方向軸との所定の角度、例えば１５〜２０度の角度で外側に広がるような様式で寸法取りされてよく、一方、該円形の突起を支える該溝の該側壁中の該開口の縁は、実質的に同じ角度で面取りされる。
【００１０】
任意的に、該直立する縁は、該開口を含む主要容器本体に取り付けられた、別個に形成されたシュラウドの一部であってよい。そのようなシュラウドは例えば、薄壁の外方の縁と、直立するフランジ付きの内側の縁により囲まれた内側の開口とを有してよく、該主要容器本体の該容器開口は、該シュラウドの該フランジ付きの内側の縁を受けるために嵌め合わせられる広がる縁により規定され、該シュラウドの該薄壁の外方の縁は、該主要容器本体の該外方の壁上の隆起により支持される。このように、該シュラウドは、該容器開口の該広がった縁と該主要容器本体の該隆起との間に固定される。該広がった開口の縁と該容器本体上の該隆起との間の垂直距離は、該主要容器本体に相対的な該シュラウドの動きを防ぐ為に、該シュラウドの内側の縁の外方の端と該シュラウドの外方の縁の外方の端との間の垂直距離と密接な嵌合を形成するように寸法取りされうる。
【００１１】
該容器の簡易だが安定な積み重ねを容易にするために、該容器は例えば、或る間隔にわたって、直立する縁を超えて突き出る蓋を備えられ、他方で該容器の底は、積み重ねられたときに、同様の容器の突き出た蓋の上に嵌まる凹みを備えられる。
【００１２】
該容器は、任意の適当な材料、例えばポリエチレン又はポリプロピレンのようなプラスチックで、射出成形又は任意の他の適当なタイプの成形により製造される。該容器は特に、塗料容器、例えば、水性のラテックス塗料若しくは他のタイプの塗料、又はラッカーのための塗料容器として有用である。
【００１３】
本発明はさらに、添付の図により説明される。
【００１４】
図１は、側壁３と、底４と、及び、蓋６で閉じられた頂端５とを有する容器本体２を有する塗料容器１示す。シュラウド７は、容器本体２の蓋付きの頂端５を囲む、直立する縁８を作る。シュラウド７の外方の側面は、容器本体２の夫々の側壁３と同一面にある。
【００１５】
直立する縁８は、二つの向かい合った凹み９、１０を備えられる。該凹み９、１０は、開口５から該縁の外方の側面へ下方に、該直立する縁の幅にわたり傾斜する。
【００１６】
該容器１はさらに、Ｕ型ハンドル１１を有し、該ハンドルは（図２におけるような）直立する位置と（図１におけるような）休止位置の間を枢動することができる。該休止位置において、該ハンドルは該シュラウド７中の対応する凹み１２中に埋め込まれる。
【００１７】
図２は該塗料容器１の半分を透視画法で示す。開いた頂端５は、ねじ山が付けられた襟１３により囲まれる。該襟１３の上端の縁と該凹み９、１０の外方の点の間の線Ａは、垂直線と約４５度の角度を作る。結果として、注いだ後に容器缶１が直立位置に戻されたときに、該塗料容器１の該シュラウド７又は他の部分に塗料が接触する前に、該塗料流出が中断する。
【００１８】
該ハンドル１１はＵ型であり、そして、中央の握り部分１４と枢動するハンドル脚部１５とを有する。該中央の握り部分１４は、閉じられた上方と下方の側面１６、１７、丸められた前方側面１８、そして開いた後方側面１９を有し、等間隔のセパレーション２０が、開いた小部屋２１を残す（図３も参照されたい）。
【００１９】
該シュラウド７は、該ハンドル１１が休止位置にあるときに、該ハンドル１１を埋め込む溝１２を備えられる。該溝１２の形は、該ハンドル１１のＵ型に対応し、該ハンドル１１の該中央の握り部分１４を受けるための中央区間２３、及び、該中央区間２３に対して直角であり、該ハンドル脚部１５を受けるための側方区間２４を有する。該溝１２の該側方区間２４は、該シュラウド７の該直立する縁８の側方の中間で終わる。このように、該シュラウド７の該直立する縁８の半分は該溝１２により切り取られるが、該シュラウド７の反対の半分は切り取られない。該凹み１０は、該中央溝区間２３の中間で、該直立する縁８を中断する。結果として、該ハンドルが休止位置に横たえられたとき、使用者にとって該ハンドルは該凹み１０を介して容易に接近可能である。該凹み９は、該凹み１０と反対にあり、該溝１２を中断しない。
【００２０】
図３は、断面での該シュラウド７と該蓋６、及び、直立している該ハンドル１１を有する、該塗料容器１の側面図を示す。該ハンドル脚部１５は、内方に突出し、互いに向き合っている円形の突起２５を備えられる。該溝１２は、外方の壁２６と内方の壁２７により規定される。該側方区間２４の外方の端で、該溝１２の該内方の壁２７は、該ハンドルの外方の端の該円形の突起２５を支える開口２８を備えられる。該円形の突起２５は外に向けて広がり、そして、該ハンドル脚部１５により近い点においてよりも、それらの外層において広い。対応して、該円形突起２５を支える、該溝１２の該側壁中の該開口２８は、同じ角度で面取りされる。該壁２７は、該ハンドルが挿入されたときに、該枢軸突起２５が所定の位置へと通過することを許すのに十分な柔軟性を有し、かつ、一度所定の位置に配置されると、組み立てを破壊すること無く、取り除かれることは出来ないように、寸法取りされる。該シュラウド７中のすき間に入る該ハンドル脚部１５は、壁２７及び隣り合った壁２６の間の狭くなる通路の中に入る。壁２６と２７の間の該すき間は、該ハンドル脚部１５を入れるのに十分なだけ広いようなものである。組み立ての間に、突起２５が壁２７の該はめ合うすき間に入るまで、壁２７は、該すき間中を下がる突起２５を有する該ハンドル脚部１５の通過を許すために曲がりうる。壁２７は、次に、突起２５がかみ合うところの最初の位置に戻り、そして、該ハンドルが該シュラウドから取り除かれることを防ぐ。
【００２１】
代替の実施態様では、該突起２５は、該ハンドル脚部１５の外方の側面に備えられて、互いにあちらを向いていることができる。対応して、該突起２５を支えるための該開口２８はこの場合には、該溝１２の該外方の壁２６中に備えられるべきである。
【００２２】
該シュラウド７は、薄壁の外方の縁２９と、直立するフランジ付きの内側の縁３０により規定される内側の開口とを有する。該襟１３の下で、該容器本体２は、該シュラウド７の該フランジ付きの内側の縁３０を受けるために嵌まる隆起３１を含み、一方で該シュラウド７の該薄壁の外方の縁２９は、該主要容器本体２の外方の壁上の隆起３２により支持される。該隆起３１と該隆起３２の間の垂直距離は、該シュラウド７を固定するように寸法取りされる。
【００２３】
図４は、該塗料容器１がどのように積み重ねられうるかを示す。この目的を達成する為に、上の塗料缶１の底４は、部分的に断面図で示される。蓋６は、所定の間隔にわたって、直立する縁８を越えて突出する。容器底４は、積み重ねられたときに、同様の容器の突出する蓋６の上に嵌まる凹み３３を備えられる。
【図面の簡単な説明】
【００２４】
【図１】本発明に従う塗料容器を透視画法で示す。
【図２】半分に切断された図１の塗料容器を透視画法で示す。
【図３】断面図のシュラウド部分及び蓋を有する、図１の塗料容器を側面図で示す。
【図４】本発明に従う、２つの積み重ねられた塗料容器を示す。
【図１】
2009512598.tif 000003
【図２】
2009512598.tif 000004
【図３】
2009512598.tif 000005
【図４】
2009512598.tif 000006
【国際調査報告】
2009512598.tif 000007
2009512598.tif 000008